(57)【要約】【課題】表示内容を簡単に変更することができるとともに、構造が簡単、かつ組立容易な表示装置およびそれを備える陳列棚を提供する。【解決手段】支持台２の上面に、導光板３の下部を嵌合する導光板嵌合溝４と、ＬＥＤ基板５を収容するＬＥＤ基板嵌合溝６とを上下に連続して設けるとともに、導光板嵌合溝４を囲むように、カバーケース嵌合溝１１を設け、ＬＥＤ基板嵌合溝６に、ＬＥＤ８を設けたＬＥＤ基板５を、導光板嵌合溝４に導光板３の下部を、カバーケース嵌合溝１１に、導光板３の側面を囲む透光性または半透光性のカバーケース１０の下部を、それぞれ着脱自在に嵌合し、かつ導光板３の側面、若しくはカバーケース１０の内外いずれかの面、または導光板３とカバーケース１０との間に、表示しようとするイメージを表した表示媒体１６を配設する。【選択図】  図２
2015172632.tif 000002
【特許請求の範囲】
【請求項１】
支持台の上面に、導光板の下部を嵌合する導光板嵌合溝と、ＬＥＤ基板を収容するＬＥＤ基板嵌合溝とを上下に連続して設けるとともに、前記導光板嵌合溝を囲むように、カバーケース嵌合溝を設け、前記ＬＥＤ基板嵌合溝に、ＬＥＤを設けたＬＥＤ基板を、前記導光板嵌合溝に導光板の下部を、前記カバーケース嵌合溝に、前記導光板の側面を囲む透光性または半透光性のカバーケースの下部を、それぞれ着脱自在に嵌合し、かつ前記導光板の側面、若しくは前記カバーケースの内外いずれかの面、または前記導光板とカバーケースとの間に、表示しようとするイメージを表した表示媒体を配設したことを特徴とする表示装置。
【請求項２】
支持台の上面における導光板嵌合溝とカバーケース嵌合溝との間に、表示媒体嵌合溝を設け、そこに表示媒体の下部を着脱自在に嵌合した請求項１記載の表示装置。
【請求項３】
支持台における導光板嵌合溝とＬＥＤ基板嵌合溝との境界部の対向面に、互いに対向する水平の内向き突条を設け、この内向き突条上に、導光板の下端が当接するようにした請求項１または２記載の表示装置。
【請求項４】
導光板嵌合溝またはカバーケース嵌合溝を、上端開口部より下方に向かうにしたがって溝幅が漸次小となるようにした請求項１〜３のいずれかに記載の表示装置。
【請求項５】
床面に立設した左右１対の支柱の上端部同士、および下端部同士を、上部連結材および下部連結材をもってそれぞれ連結し、前記両支柱に設けた係止孔に係止させた左右１対のブラケットをもって棚板を支持し、前記上部連結材上に、請求項１〜４のいずれかに記載の表示装置を載置して固定したことを特徴とする陳列棚。
【発明の詳細な説明】
【技術分野】
【０００１】
本発明は、導光板を利用した表示装置およびそれを備える陳列棚に関する。
【背景技術】
【０００２】
支持台の上面に設けた差込溝に導光板の下部を嵌合し、支持台内に設けた蛍光ランプや発光ダイオード(以下、ＬＥＤという)からの光を導光板の端面から導光板内に導いて、導光板の表面に印刷したり貼着したりした網点グラディションパターンを輝光させたり、導光板内に微細な空胞によって形成した文字等の表示媒体を輝光させたりするようにしたものが公知である(例えば特許文献１または２参照)。
【０００３】
また、導光板の左右の端面にＬＥＤを配設し、かつ前面に、商品に関する広告やデザインを施した透光部材からなる表示パネルを、上方からスライド自在に配設したもの(例えば特許文献３参照)、導光板の前面に配設したポスター等のメディア媒体の前面を、透明カバーにより覆うようにしたもの(例えば特許文献４参照)等も公知である。
【先行技術文献】
【特許文献】
【０００４】
【特許文献１】特開平５−３０３０１７号公報
【特許文献２】特開２００４−２４６２６０号公報
【特許文献３】特許第５２５５４８９号公報
【特許文献４】実用新案登録第３１５９０３６号公報
【発明の概要】
【発明が解決しようとする課題】
【０００５】
上記のような従来の導光板を利用した表示装置のうち、導光板内に空胞により表示媒体を形成したものでは、導光板ごと交換しなければ表示内容を交換することはできず、また導光板の表面に、ポスター等の表示媒体や、それを覆う透明カバー等を、貼着したり、ねじ止めしたりしたものでは、それらを交換する際に手間がかかる等の問題がある。
【０００６】
本発明は、従来の技術が有する上記のような問題点に鑑みてなされたもので、表示内容を簡単に変更することができるとともに、構造が簡単、かつ組立容易な表示装置およびそれを備える陳列棚を提供することを目的としている。
【課題を解決するための手段】
【０００７】
本発明によると、上記課題は、次のようにして解決される。
（１）表示装置において、支持台の上面に、導光板の下部を嵌合する導光板嵌合溝と、ＬＥＤ基板を収容するＬＥＤ基板嵌合溝とを上下に連続して設けるとともに、前記導光板嵌合溝を囲むように、カバーケース嵌合溝を設け、前記ＬＥＤ基板嵌合溝に、ＬＥＤを設けたＬＥＤ基板を、前記導光板嵌合溝に導光板の下部を、前記カバーケース嵌合溝に、前記導光板の側面を囲む透光性または半透光性のカバーケースの下部を、それぞれ着脱自在に嵌合し、かつ前記導光板の側面、若しくは前記カバーケースの内外いずれかの面、または前記導光板とカバーケースとの間に、表示しようとするイメージを表した表示媒体を配設する。
【０００８】
このような構成によると、導光板やカバーケースを支持台から簡単に着脱できるので、表示内容を簡単に変更することができるとともに、容易に組み立てることができ、しかも、構造が簡単で、安価に製造することができる。
【０００９】
（２）上記(１)項において、支持台の上面における導光板嵌合溝とカバーケース嵌合溝との間に、表示媒体嵌合溝を設け、そこに表示媒体の下部を着脱自在に嵌合する。
【００１０】
このような構成によると、導光板やカバーケースだけでなく、表示媒体も、それらから独立して、支持台に容易に着脱することができ、表示内容をより簡単に変更することができるとともに、表示媒体を安定よく支持することができる。
【００１１】
（３）上記(１)または(２)項において、支持台における導光板嵌合溝とＬＥＤ基板嵌合溝との境界部の対向面に、互いに対向する水平の内向き突条を設け、この内向き突条上に、導光板の下端が当接するようにする。
【００１２】
このような構成によると、ＬＥＤ基板が、導光板の荷重により押し潰されるのを防止することができるとともに、ＬＥＤからの光を、導光板の下端から導光板内に導くことができる。
【００１３】
（４）上記(１)〜(３)項のいずれかにおいて、導光板嵌合溝またはカバーケース嵌合溝を、上端開口部より下方に向かうにしたがって溝幅が漸次小となるようにする。
【００１４】
このような構成によると、導光板またはカバーケースを、導光板嵌合溝またはカバーケース嵌合溝各溝に挿入し易く、かつ挿入完了後にがたつきを生じないようにすることができるとともに、各溝から外れにくくすることができる。
【００１５】
（５）陳列棚において、床面に立設した左右１対の支柱の上端部同士、および下端部同士を、上部連結材および下部連結材をもってそれぞれ連結し、前記両支柱に設けた係止孔に係止させた左右１対のブラケットをもって棚板を支持し、前記上部連結材上に、上記(１)〜(４)項のいずれかの表示装置を載置して固定する。
【００１６】
このような構成によると、展示する商品等が季節その他の時期に合わせて変更することが多い化粧品や薬等の陳列棚として、好適に使用することができる。
【発明の効果】
【００１７】
本発明によると、表示内容を簡単に変更することができるとともに、構造が簡単、かつ組立容易な表示装置およびそれを備える陳列棚を提供することができる。
【図面の簡単な説明】
【００１８】
【図１】本発明の表示装置の一実施形態の正面図である。
【図２】図１のII−II線縦断側面図である。
【図３】図２の下部の拡大縦断側面図である。
【図４】本発明の表示装置の一実施形態の分解斜視図である。
【図５】本発明の陳列棚の一実施形態の正面図である。
【図６】図５のVI−VI線拡大縦断側面図である。
【発明を実施するための形態】
【００１９】
以下、本発明の表示装置の一実施形態を、図面を参照して説明する。
図１は、本発明の表示装置の一実施形態の分解斜視図、図２は、図１のII−II線縦断側面図、図３は、図２の下部の拡大縦断側面図、図４は、本発明の表示装置の一実施形態の分解斜視図である。
【００２０】
この表示装置１は、図４に示すように、左右方向に長い支持台２を備えている。
この支持台２の上面には、左右方向に長い導光板３の下部を嵌合する導光板嵌合溝４と、ＬＥＤ基板５を収容するＬＥＤ基板嵌合溝６とが、上下に連続して設けられている。
【００２１】
導光板３は、透光性を有する長方形のアクリル板により形成され、その下端部が、支持台２の導光板嵌合溝４内に着脱自在に嵌合されている。
ＬＥＤ基板５は、帯板状の配線基板７上に、複数のＬＥＤ８が長手方向に適宜の間隔をもって列設されたものよりなり、導光板３を導光板嵌合溝４から取り外した状態で、支持台２のＬＥＤ基板嵌合溝６に、上方から着脱自在に嵌合されている。
【００２２】
図３に示すように、支持台２における導光板嵌合溝４とＬＥＤ基板嵌合溝６との境界部の対向面には、互いに対向する水平の内向き突条９、９が設けられており、この内向き突条９、９上に、導光板３の下端が当接することにより、ＬＥＤ基板５が、導光板３の荷重により押し潰されるのを防止することができ、しかも、ＬＥＤ８からの光を、導光板３の下端から導光板３内に導くことができるようになっている。
【００２３】
支持台２の上面には、導光板嵌合溝４の四周を囲むように、カバーケース１０の下端部を嵌合するカバーケース嵌合溝１１が設けられている。
カバーケース１０は、透明または乳白色等の半透明のアクリル板からなり、横長の前面板１０ａ、後面板１０ｂ、両側板１０ｃ、１０ｃ、および上面板１０ｄからなる、下端が開口する箱状をなしている。
なお、上面板１０ｄを省略して実施することもある。
【００２４】
支持台２の左右の端面は、正面視Ｌ字状をなす側キャップ１２における起立片１２ａにより閉塞されている。側キャップ１２は、起立片１２ａを支持台２の左右の端面に当接させた状態で、起立片１２ａの下端から内側方に直角に折曲形成された水平の取付片１２ｂを、支持台２の下面に当接させて、固定ねじ１３をもって固着することにより、支持台２に取付けられている。
【００２５】
支持台２におけるカバーケース嵌合溝１１の左右の端部は、側キャップ１２の起立片１２ａにより閉塞され、カバーケース嵌合溝１１に嵌合されたカバーケース１０における左右の側板１０ｃ、１０ｃの外側面の下部は、この起立片１２ａに当接するようになっている。
【００２６】
導光板嵌合溝４およびカバーケース嵌合溝１１は、図３に示すように、上端開口部より下方に向かうにしたがって溝幅が漸次小となるように、内外いずれかの側面を垂直面よりわずかに傾斜する傾斜面としてあり、これによって、導光板３およびカバーケース１０を、各溝に挿入し易く、かつ挿入完了後にがたつきが生じないようにすることができるとともに、各溝から外れにくくすることができる。
【００２７】
支持台２の上面における導光板嵌合溝４とカバーケース嵌合溝１１との間に形成された薄肉の起立壁１４の上端には、導光板嵌合溝４の縁と平行をなす狭い表示媒体嵌合溝１５が設けられ、ここに、例えば文字や図形またはそれらの組み合わせからなる、表示しようとするイメージを表した、透光性または半透光性のフィルム、シート、パネル等の表示媒体１６の下端部が、着脱自在に嵌合されている。
【００２８】
表示媒体１６は、下端部を表示媒体嵌合溝１５に嵌合することなく、導光板３の側面、若しくはカバーケース１０の内外いずれかの面に貼着または接着して配設したり、または下端部を表示媒体嵌合溝１５に嵌合したものとともに並設したりして実施することもある。
【００２９】
図３に示すように、支持台２におけるＬＥＤ基板嵌合溝６の下方には、他部材との結合等に、多目的に利用できるようにした偏平な中空部１７が形成され、さらにその下方には、下端に向かって開口するあり溝状の係合溝１８が形成され、さらにその係合溝１８の前後には、下端が開口し、かつ配線(図示略)等を収容しうる空所１９、１９が形成されている。
また、ＬＥＤ基板嵌合溝６と中空部１７とを区画するＬＥＤ基板嵌合溝６の底壁６ａには、長手方向を向く配線挿通用のスリット(または配線挿通孔)６ｂが設けられている。
【００３０】
左右の側キャップ１２、１２(そのいずれか一方のみでもよい)における起立片１２ａには、支持台２における前後いずれかの空所１９に連通し、かつ下方に向かって開口する配線取出口２０が設けられている。
この配線取出口２０や空所１９を通して、ＬＥＤ基板５に接続した電気配線(図示略)を電源(図示略)まで導くことができるようになっている。
【００３１】
係合溝１８は、狭幅開口部１８ａの上方に、拡幅部１８ｂが連設されたものよりなり、図６に示すように、拡幅部１８ｂに配設した板ナット２１に螺合する固定ねじ２２をもって、支持台２にベース板２３、その他の部材を固着しうるようになっている。
【００３２】
この表示装置１によると、導光板３やカバーケース１０を支持台２から簡単に着脱できるので、表示内容を簡単に変更することができるとともに、容易に組み立てることができ、しかも、構造が簡単で、安価に製造することができる。
【００３３】
また、起立壁１４の上端に設けた表示媒体嵌合溝１５に、表示媒体１６の下端部を着脱自在に嵌合しうるようにしてあるので、導光板３やカバーケース１０だけでなく、表示媒体１６も、それらから独立して、支持台２に容易に着脱することができ、表示内容をより簡単に変更することができるとともに、表示媒体１６を安定よく支持することができる。
【００３４】
図５および図６は、上記表示装置１を備えた本発明の陳列棚の一実施形態を示す。
この陳列棚３０は、床面３１に立設した左右１対の支柱３２、３２の上端部同士、および下端部同士を、上部連結材３３および下部連結材３４をもってそれぞれ連結し、両支柱３２、３２の前面(後面または側面にも設ける場合がある)に上下方向に並べて設けた複数の係止孔３５に、後端部のフック部(図示略)を選択的に係止させた左右１対のブラケット３６をもって棚板３７を支持し、上部連結材３３上に、上記表示装置１を載置して固定したものよりなっている。
【００３５】
より具体的には、短軸方向の長さを係合溝１８における狭幅開口部１８ａの開口幅より小、かつ長軸方向の長さを係合溝１８における狭幅開口部１８ａの開口幅より大、好ましくは拡幅部１８ｂの幅よりも大とした板ナット２１を、その長軸が係合溝１８と同方向を向くようにして、係合溝１８の狭幅開口部１８ａよりその奥の拡幅部１８ｂ内まで挿入し、次いで、ベース板２３を下方より上方に向けて貫通させた固定ねじ２２を、板ナット２１のねじ孔２１ａに螺合して締めつけることにより、表示装置１の下面に、支持台２より前後幅を大としたベース板２３を固着し、このベース板２３の前後部の適所を、上部連結材３３の上面に、複数の固定ねじ３８をもって固着してある。
【００３６】
このような陳列棚３０によると、カバーケース１０を支持台２から外して、表示媒体１６や導光板３を簡単に交換することができるので、展示する商品等が季節その他の時期に合わせて変更することが多い化粧品や薬等の陳列棚として、好適に使用することができる。
また、表示装置１を、陳列棚３０の上部連結材３３に、簡単かつ迅速に取付けることができる。
【００３７】
本発明は、上記実施形態のみに限定されるものではなく、特許請求の範囲を逸脱することなく、変形した態様での実施が可能である。
例えば、支持台２を、１または複数の脚(図示略)をもってベース板２３上に立設し、ベース板２３を、陳列棚３０における上部連結材３３または他の什器の上面に固定するか、もしくは床面上に載置するようにしてもよい。
【符号の説明】
【００３８】
１  表示装置
２  支持台
３  導光板
４  導光板嵌合溝
５  ＬＥＤ基板
６  ＬＥＤ基板嵌合溝
６ａ底壁
６ｂスリット
７  配線基板
８  ＬＥＤ
９  内向き突条
１０  カバーケース
１０ａ前面板
１０ｂ後面板
１０ｃ側板
１０ｄ上面板
１１  カバーケース嵌合溝
１２  側キャップ
１２ａ起立片
１２ｂ取付片
１３  固定ねじ
１４  起立壁
１５  表示媒体嵌合溝
１６  表示媒体
１７  中空部
１８  係合溝
１８ａ狭幅開口部
１８ｂ拡幅部
１９  空所
２０  配線取出口
２１  板ナット
２１ａねじ孔
２２  固定ねじ
２３  ベース板
３０  陳列棚
３１  床面
３２  支柱
３３  上部連結材
３４  下部連結材
３５  係止孔
３６  ブラケット
３７  棚板
３８  固定ねじ
【図１】
2015172632.tif 000003
【図２】
2015172632.tif 000004
【図３】
2015172632.tif 000005
【図４】
2015172632.tif 000006
【図５】
2015172632.tif 000007
【図６】
2015172632.tif 000008